(57)【特許請求の範囲】
【請求項１】
前面に突設された１個又は複数個の分岐端子、及び前記分岐端子側を覆う所定の厚さのプレートが着脱自在に取り付けられるプレート取付部を有するユニット本体と、
前記分岐端子が挿入される端子孔を有し、前記プレートの開口部に挿入されて前記ユニット本体の前面に着脱自在に装着された端子台とを備えた直列ユニットにおいて、
前記プレートの厚さに対応して前記端子台の装着位置を上下に１８０°回転したときに、前記端子台を高さの異なる少なくとも２箇所の位置で支持する支持部と、前記各位置で前記端子台を着脱自在に固定する固定手段とを、前記ユニット本体と前記端子台との接合箇所に設け、
前記支持部は、前記ユニット本体と前記端子台のいずれか一方に設けられた段差部と、前記いずれか他方に設けられ、前記端子台の装着位置を上下に１８０°回転したときに前記段差部の異なる位置で該段差部と接触する接触部とで構成し、
前記固定手段は、前記端子台に設けられた高さの異なる第１及び第２の係合爪と、前記ユニット本体に設けられ、前記端子台の異なる装着位置で前記第１又は第２の係合爪とそれぞれ係合する係合部とで構成したことを特徴とする直列ユニット。
【請求項２】
前面に突設された１個又は複数個の分岐端子、及び前記分岐端子側を覆う所定の厚さのプレートが着脱自在に取り付けられるプレート取付部を有するユニット本体と、
前記分岐端子が挿入される端子孔を有し、前記プレートの開口部に挿入されて前記ユニット本体の前面に着脱自在に装着された端子台とを備えた直列ユニットにおいて、
前記プレートの厚さに対応して前記端子台の装着位置を上下に１８０°回転したときに、前記端子台を高さの異なる少なくとも２箇所の位置で支持する支持部と、前記各位置で前記端子台を着脱自在に固定する固定手段とを、前記ユニット本体と前記端子台との接合箇所に設け、
前記支持部は、前記端子台に設けられ、前記端子台が特定の装着位置のときに前記ユニット本体と当接して前記端子台を持ち上げる突起と、前記ユニット本体に設けられ、前記端子台が他の装着位置のときに前記突起を受け入れる収容孔とで構成し、
前記固定手段は、前記端子台に設けられた高さの異なる第１及び第２の係合爪と、前記ユニット本体に設けられ、前記端子台の異なる装着位置で前記第１又は第２の係合爪とそれぞれ係合する係合溝とで構成したことを特徴とする直列ユニット。
【発明の詳細な説明】
【０００１】
【発明の属する技術分野】
【０００２】
本発明は、ＣＡＴＶ（ケーブルテレビ）システム、テレビ共同受信システム等の加入者宅に設置されてテレビジョン受信機の接続に使用される直列ユニットに関するものである。
【０００３】
【従来の技術】
【０００４】
図９は従来の２分岐端子型の直列ユニットの構造とこの取付例を示す分解斜視図、及び図１０は図９の直列ユニットの取付後の縦断面図である。
【０００５】
この２分岐端子型の直列ユニット１は、分岐回路が収納された合金製のユニット本体１０と、このユニット本体１０の前面に着脱自在に取り付けられてこの端子部分を覆う合成樹脂製の端子台２０とで、構成されている。ユニット本体１０は、前面（正面）から見て略Ｔ字型の収納ケース構造をしており、この前面に、２個のテレビジョン受信機接続用の分岐端子１１−１，１１−２が突設され、背面側に、一対の入出力端子１１−３が突設されている。ユニット本体１０の前面側の上下には、直列ユニット固定用の取付耳部１２−１，１２−２がそれぞれ取り付けられている。各取付耳部１２−１，１２−２には、ボックス取付用のねじ取付孔１３−１，１３−２、プレート取付用のねじ孔１４−１，１４−２、及び木ねじ用のねじ取付孔１５−１，１５−２がそれぞれ形成されている。
【０００６】
分岐端子部分を覆う端子台２０は、背面が開口したケース構造をしており、この前面の上下２箇所に、略円筒状の端子孔２１−１，２１−２が背面方向に突設され、この内部に分岐端子１１−１，１１−２がそれぞれ収容されている。端子台２０は、係合爪等によってユニット本体１０の前面に着脱自在に装着され、このユニット本体前面から端子孔２１−１，２１−２の開口部側の前面までが、所定の高さを有している。
【０００７】
このような構造の直列ユニット１をＣＡＴＶシステム等の加入者宅に取り付ける場合、例えば、アウトレットボックス３０及びプレート４０を使用する。
【０００８】
アウトレットボックス３０は、壁面に埋設しておく。プレート４０は、一定の厚みを有し、プレート枠４１と、このプレート枠４１の前面に着脱自在に取り付けられる化粧カバー兼用のプレート本体４２とで構成され、絶縁部材（例えば、合成樹脂）で形成されている。プレート枠４１の前面側の上下２箇所には、直列ユニット取付用のねじ孔４１ａ−１，４１ａ−２が形成され、更に、全周に複数個のプレート本体取付用の嵌合孔４１ｂ−１，４１ｂ−２，４１ｂ−３，…が形成されている。
【０００９】
プレート本体４２の前面には、端子台２０の前面側を露出させるための開口部４２ａが形成され、この開口部４２ａの前面側高さが、端子台前面の高さと略同一になっている。プレート本体４２の背面側には、図示しない複数個の嵌合爪が突設され、この嵌合爪をプレート枠側の嵌合孔４１ｂ−１，４１ｂ−２，４１ｂ−３，…に嵌合することにより、該プレート本体４２をプレート枠４１に着脱自在に固定できるようになっている。
【００１０】
直列ユニット１を取り付けるときには、まず、アウトレットボックス３０の開口部３１から引き出した入力用同軸ケーブル３３−１及び出力用同軸ケーブル３３−２を、Ｆ型接栓３４，３４を用いて直列ユニット１の入出力端子１１−３，１１−３に接続する。ユニット本体１０をアウトレットボックス３０の開口部３１に押し込み、取付耳部１２−１，１２−２のねじ取付孔１３−１，１３−２に挿入したねじ３５−１，３５−２を、アウトレットボックス側のねじ孔３２−１，３２−２にねじ込み、直列ユニット１を固定する。
【００１１】
プレート本体４２と分離したプレート枠４１を取付耳部１２−１，１２−２に接触させ、プレート側のねじ孔４１ａ−１，４１ａ−２及び取付耳部側のねじ孔１４−１，１４−２にねじ４３−１，４３−２をねじ込み、プレート枠４１を固定する。最後に、プレート本体４２の嵌合爪をプレート枠側の嵌合孔４１ｂ−１，４１ｂ−２，４１ｂ−３，…に嵌入すれば、このプレート本体４２の前面が端子台２０の前面と略同一高さに固定され、取付作業が完了する。
【００１２】
【発明が解決しようとする課題】
【００１３】
しかしながら、従来の直列ユニット１では、次のような課題があった。
【００１４】
直列ユニット１に使用するプレート４０は、厚さの異なるものが複数種類存在するので、これに対応する高さの端子台２０も複数種類用意しておき、厚さの異なるプレート４０を使用するときには、これに対応する高さの端子台２０に交換し、プレート前面と略同一面になるように端子台２０の高さを調整しなければならなかった。そのため、異なる高さの複数種類の端子台２０を用意することの不経済性、プレート４０の厚さに対応した端子台２０の交換作業の煩雑化と不利不便さ、及び使い勝手の悪さといった課題があった。
【００１５】
本発明は、前記従来技術が持っていた課題を解決し、端子台の高さ調整が簡単に行える直列ユニットを提供するすることを目的とする。
【００１６】
【課題を解決するための手段】
【００１７】
前記課題を解決するために、本発明のうちの請求項１の発明では、前面に突設された１個又は複数個の分岐端子、及び前記分岐端子側を覆う所定の厚さのプレートが着脱自在に取り付けられるプレート取付部を有するユニット本体と、前記分岐端子が挿入される端子孔を有し、前記プレートの開口部に挿入されて前記ユニット本体の前面に着脱自在に装着された端子台とを備えた直列ユニットにおいて、支持部と固定手段とを、前記ユニット本体と前記端子台との接合箇所に設けている。前記支持部は、前記プレートの厚さに対応して前記端子台の装着位置を上下に１８０°回転したときに、前記端子台を高さの異なる少なくとも２箇所の位置で支持するものである。又、前記固定手段は、前記各位置で前記端子台を着脱自在に固定するものである。また、前記支持部は、前記ユニット本体と前記端子台のいずれか一方に設けられた段差部と、前記いずれか他方に設けられ、前記端子台の装着位置を上下に１８０°回転したときに前記段差部の異なる位置で該段差部と接触する接触部とで構成している。更に、前記固定手段は、前記端子台に設けられた高さの異なる第１及び第２の係合爪と、前記ユニット本体に設けられ、前記端子台の異なる装着位置で前記第１又は第２の係合爪とそれぞれ係合する係合部とで構成している。
【００１８】
このような構成を採用したことにより、端子台をユニット本体の前面に押し付ければ、該端子台が支持部により所定の高さに支持され、固定手段で固定される。端子台を上下に１８０°回転してユニット本体の前面に押し付ければ、該端子台が支持部により、前記とは異なる高さで支持され、固定手段で固定される。これにより、使用するプレートの厚さに対応して、端子台の高さ調整が行える。また、これにより、端子台の上下の回転位置に対応して、段差部と接触部とによって該端子台が異なる高さで支持され、第１又は第２の係合爪と係合部とによって固定される。
【００２１】
請求項２の発明では、前面に突設された１個又は複数個の分岐端子、及び前記分岐端子側を覆う所定の厚さのプレートが着脱自在に取り付けられるプレート取付部を有するユニット本体と、前記分岐端子が挿入される端子孔を有し、前記プレートの開口部に挿入されて前記ユニット本体の前面に着脱自在に装着された端子台とを備えた直列ユニットにおいて、支持部と固定手段とを、前記ユニット本体と前記端子台との接合箇所に設けている。前記支持部は、前記プレートの厚さに対応して前記端子台の装着位置を上下に１８０°回転したときに、前記端子台を高さの異なる少なくとも２箇所の位置で支持するものである。又、前記固定手段は、前記各位置で前記端子台を着脱自在に固定するものである。前記支持部は、前記端子台に設けられ、前記端子台が特定の装着位置のときに前記ユニット本体と当接して前記端子台を持ち上げる突起と、前記ユニット本体に設けられ、前記端子台が他の装着位置のときに前記突起を受け入れる収容孔とで構成している。更に、前記固定手段は、前記端子台に設けられた高さの異なる第１及び第２の係合爪と、前記ユニット本体に設けられ、前記端子台の異なる装着位置で前記第１又は第２の係合爪とそれぞれ係合する係合溝とで構成している。
【００２２】
このような構成を採用したことにより、端子台をユニット本体の前面に押し付ければ、該端子台が支持部により所定の高さに支持され、固定手段で固定される。端子台を上下に１８０°回転してユニット本体の前面に押し付ければ、該端子台が支持部により、前記とは異なる高さで支持され、固定手段で固定される。これにより、使用するプレートの厚さに対応して、端子台の高さ調整が行える。また、これにより、端子台の上下の回転位置に対応して、突起と収容孔とによって該端子台が異なる高さで支持され、第１又は第２の係合爪と係合溝とによって固定される。
【００２３】
【発明の実施の形態】
【００２４】
［実施形態の基本構成］
【００２５】
図２（Ａ）〜（Ｄ）は本発明の実施形態の基本構成を示す模式図であり、同図（Ａ）は１分岐端子型直列ユニットの前面を示す正面図、同図（Ｂ）は２分岐端子型直列ユニットの前面を示す正面図、同図（Ｃ）は３分岐端子型直列ユニットの前面を示す正面図、及び同図（Ｄ）は端子台の高さ調整方法を示す１分岐端子型直列ユニットの縦断面図である。
【００２６】
図２（Ａ）の１分岐端子型直列ユニット５０−１は、前面に１個の分岐端子が突設されたユニット本体６０−１を有し、このユニット本体６０−１の前面に、絶縁部材（例えば、合成樹脂）で形成された端子台８０−１が着脱自在に装着されている。端子台８０−１の前面には、略円筒状の端子孔８１が背面方向に突設され、この内部にユニット本体側の分岐端子が収容されている。
【００２７】
ユニット本体６０−１と端子台８０−１の接合箇所には、支持部５１が設けられている。支持部５１は、端子台８０−１の前面を覆うプレートの厚さに対応して、端子台８０−１をこの上下の中心軸Ｘに対して１８０°回転したときに、該端子台８０−１を高さの異なる２箇所の位置で支持するものである。支持部５１は、例えば、突起の立ち下がり箇所に形成された段差部５１ａと、端子台８０−１の装着位置を中心軸Ｘに対して上下に１８０°回転したときに段差部５１ａの異なる位置で該段差部５１ａと接触する接触部５１ｂとで構成されている。各位置に置いて、段差部５１ａと接触部５１ｂとは、固定手段５３により着脱自在に固定される。
【００２８】
このように構成すれば、図２（Ｄ）において、端子台８０−１が実線で示される位置にあるとき、段差部５１ａの低い箇所が接触部５１ｂの高い箇所に接触して、固定手段５３で固定されるので、端子部８０−１の前面が高い位置で固定される。端子台８０−１を中心軸Ｘに対して１８０°回転して、１点鎖線で示される位置に移動すると、段差部５１ａの低い箇所が接触部５１ｂの低い箇所に接触して、固定手段５３で固定されるので、端子台８０−１の前面が低い位置で固定される。従って、端子台８０−１を上下１８０°回転させるだけで、この端子台８０−１の高さを２通りに簡単に調整できる。
【００２９】
この場合、固定手段５３は、種々の構成を採用できる。例えば、高さの異なる第１及び第２の係合爪を、端子台８０−１に設け、係合部をユニット本体６０−１に設けておく。このように構成すれば、端子台８０−１の異なる装着位置で、第１及び第２の係合爪が係合部とそれぞれ係合して簡単に固定される。
【００３０】
又、他の構成として、支持部５２は、端子台８０−１に設けられた突起５２ａと、ユニット本体６０−１に設けられた収容孔５２ｂとで構成されている。端子台５０−１が図２（Ｄ）の実線で示されるような装着位置のときには、突起５２ａが収容孔５２ｂに挿入され固定手段５３で固定されるので、端子台８０−１が低い位置に保持される。端子台８０−１を中心軸Ｘに対して上下１８０°回転させ、図２（Ｄ）の１点鎖線で示される装着位置に移動させると、突起５２ａが収容孔５２ｂ外に当接して固定手段５３で固定されるので、端子台８０−１が高い位置に持ち上げられて固定される。従って、端子台８０−１を上下１８０°回転させるだけで、この端子台８０−１の高さを２通りに簡単に調整できる。
【００３１】
この場合、固定手段５３は、種々の構成を採用できる。例えば、高さの異なる第１及び第２の係合爪を、端子台８０−１に設け、係合溝をユニット本体６０−１に設けておく。このように構成すれば、端子台８０−１の異なる装着位置で、第１及び第２の係合爪が係合溝とそれぞれ係合して簡単に固定される。
【００３２】
図２（Ｂ）の２分岐型直列ユニット５０−２では、端子台８０−２の前面において、上下の中心線Ｘに対して対称の位置に２個の端子孔８１−１，８１−２が形成されている。図２（Ｃ）の３分岐型直列ユニット５０−３では、端子台８０−３の前面において、上下の中心線Ｘ上に１個の端子孔８１−２が形成され、この上下の対称の位置に２個の端子孔８１−１，８１−３が形成されている。
【００３３】
このような２分岐型直列ユニット５０−２や３分岐型直列ユニット５０−３においても、前記のような支持部５１，５２及び固定手段５３を設けることにより、端子台８０−２，８０−３を簡単に高さ調整できる。４分岐以上の直列ユニットについても、同様に高さ調整が可能である。
【００３４】
［実施形態］
【００３５】
図２の２分岐型直列ユニットの具体的な構成例を以下説明する。
【００３６】
（構成）
【００３７】
図１は本発明の実施形態を示す２分岐型直列ユニットの一部を省略した分解斜視図、図３は図１中のユニット本体側を前面から見た正面図、図４は図３中のユニット本体の側面図である。図５（Ａ）、（Ｂ）は図３中の取付耳部の構成図であって同図（Ａ）は正面図及び同図（Ｂ）は側面図、図６（Ａ）〜（Ｄ）は図１中の端子台の構成図であって同図（Ａ）は正面図、同図（Ｂ）は背面図、同図（Ｃ）は側面図、及び同図（Ｄ）は同図（Ｃ）の縦断面図である。更に、図７は図１の直列ユニットの取付時の側面図、及び図８は図７の端子台の高さ調整方法の説明図である。これらの図面において、図２及び図９中の要素と共通の要素には共通の符号が付されている。
【００３８】
図１等に示すように、本実施形態の２分岐型直列ユニット５０−２は、分岐回路が収納された合金製等のユニット本体６０−２と、このユニット本体６０−２の前面に着脱自在に取り付けられてこの端子部分を覆う絶縁部材製（例えば、合成樹脂製）の端子台８０−２とで、構成されている。
【００３９】
ユニット本体６０−２は、前面（正面）から見て略Ｔ字型の収納ケース構造をしており、Ｔ型頭部６１とＴ型ボディ部６２とで構成されている。Ｔ型頭部６１及びＴ型ボディ部６２の前面には、２個のテレビジョン受信機接続用の分岐端子６３−１．６３−２が突設され、該Ｔ型頭部６１の背面側底面に、一対の入出力端子６４−１，６４−２が突設されている。Ｔ型頭部６１の前面側の両側面には、各種プレート用の取付枠を取り付けるための取付枠係止部６５−１，６５−２が突設されている。Ｔ型ボディ部６２の前面側下部は、Ｔ型頭部６１の前面形状と略同様に両側面方向に突出しており、この両突出部分に、各種プレート用の取付枠を取り付けるための取付枠係止部６５−３，６５−４が突設されている。各取付枠係止部６５−１〜６５−４の近傍には、前面方向に、他の形状の取付枠係止部６６−１，６６−２，６６−３，６６−４がそれぞれ突設されている。
【００４０】
各取付枠係止部６５−１〜６５−４の背面側には、取付耳部７０−１，７０−２を着脱自在に装着するための耳嵌入溝６７−１，６７−２，６７−３，６７−４がそれぞれ設けられている。Ｔ型ボディ部６２の両突出部分の前面には、端子台８０−２側の高さ調整用突起５２ａ−１〜５２ａ−６の一部５２ａ−３，５２ａ−６を受け入れるための収容孔５２ｂ−１，５２ｂ−２が形成されている。Ｔ型ボディ部６２の前面両側部には、端子台８０−２を着脱自在に固定するための溝状あるいはアーム状の端子台係合部６１，６８−２が設けられている。
【００４１】
Ｔ型頭部６１の前面側上部とＴ型ボディ部６２の前面側下部には、耳嵌入溝６７−１〜６７−４を介して、プレート取付部である直列ユニット取付用の取付耳部７０−１，７０−２がそれぞれ取り付けられている。図３及び図５に示すように、各取付耳部７０−１，７０−２には、耳嵌入溝６７−１〜６７−４に着脱自在に嵌入して挟持固定するための一対の係合爪７１−１，７１−２と７１−３，７１−４がそれぞれ設けられている。更に、各取付耳部７０−１，７０−２に、ボックス取付用のねじ取付孔７２−１，７２−２、プレート取付用のねじ孔７３−１，７３−２、及び木ねじ用のねじ取付孔７４−１，７４−２と７４−３，７４−４がそれぞれ形成されている。
【００４２】
分岐端子部分を覆う端子台８０−２は、背面が開口したケース構造をしており、この前面の上下２箇所に、略円筒状の端子孔８１−１，８１−２が背面方向に突設され、この内部に分岐端子６３−１，６３−２がそれぞれ収容されている。図６に示すように、端子台８０−２の背面側の開口周縁部には、高さ調整用の突起５２ａ−１〜５２ａ−６が突設されると共に、ユニット本体側の端子台係合部６８−１，６８−２に係合する高さの異なる第１の係合爪８２−１，８２−２と第２の係合爪８２−３，８２−４が突設されている。端子台８０−２は、係合爪８２−１〜８２−４によってユニット本体６０−２の前面に着脱自在に装着され、突起５２ａ−１〜５２ａ−６によって高さ調整可能な構造になっている。
【００４３】
（高さ調整と取付方法例）
【００４４】
図１の直列ユニット５０−２を、例えば、図９のようなプレート４０を用いてアウトレットボックス３０に取り付ける場合を説明する。
【００４５】
まず、図１の直列ユニット５０−２を組み立てるには、図８に示すように、取付耳部７０−１の係合爪７１−１，７１−２をユニット本体側の耳嵌入溝６７−１，６７−２に嵌入すると共に、取付耳部７０−２の係合爪７１−３，７１−４をユニット本体側の耳嵌入溝６７−３，６７−４に嵌入すると、取付耳部７０−１，７０−２が直列ユニット５０−２の上下に挟持される。
【００４６】
図８に示すように、端子台８０−２の背面側を位置決めしてユニット本体６０−２の前面に押し付ける。すると、図８の１点鎖線で示すように、端子台側の突起５２ａ−１〜５２ａ−４が、ユニット本体６０−２の前面に当接せずにそのまま押し込まれると共に、突起５２ａ−５，５２ａ−６も、ユニット本体側前面の収容孔５２ｂ−１，５２ｂ−２に挿入され、該端子台８０−２の背面側の開口周縁部がユニット本体６０−２の前面に当接する。この際、端子台側の高さの高い係合爪８２−１，８２−２は、ユニット本体６０−２側の前面に係合せずにそのまま押し込まれるが、高さの低い係合爪８２−３，８２−４が、ユニット本体側の端子台係合部６８−１，６８−２内に挿入されて係合する。これにより、端子台８０−２が低い高さでユニット本体６０−２の前面に固定される。
【００４７】
プレート４０として厚さの大きいものを使用する場合には、図８の２点鎖線で示すように、端子台８０−２を上下の中心軸Ｘに対して１８０°回転させてユニット本体６０−２の前面に押し付ける。すると、位置が変わった端子台側の突起５２ａ−１〜５２ａ−６がユニット本体６０−２の前面に当接する。この際、位置が変わった高さの低い係合爪８２−３，８２−４は、ユニット本体６０−２側の前面に係合せずにそのまま押し込まれるが、位置が変わった高さの高い係合爪８２−１，８２−２が、ユニット本体側の端子台係合部６８−１，６８−２内に挿入されて係合する。このため、端子台８０−２は、１段高い高さでユニット本体６０−２の前面に固定される。
【００４８】
このようにして組み立てられた直列ユニット５０−２を、図９のアウトレットボックス３０に取り付けるには、従来と同様に、アウトレットボックス３０の開口部３１から引き出した入力用同軸ケーブル３３−１及び出力用同軸ケーブル３３−２を、Ｆ型接栓３４，３４を用いて直列ユニット５０−２の入出力端子６４−１，６４−２に接続する。そして、ユニット本体６０−２をアウトレットボックス３０の開口部３１に押し込み、取付耳部７０−１，７０−２のねじ取付孔７２−１，７２−２に挿入したねじ３５−１，３５−２を、アウトレットボックス側のねじ孔３２−１，３２−２にねじ込み、直列ユニット５０−２を固定する。
【００４９】
プレート本体４２と分離したプレート枠４１を取付耳部７０−１，７０−２に接触させ、プレート側のねじ孔４１ａ−１，４１ａ−２及び取付耳部側のねじ孔７３−１，７３−２にねじ４３−１，４３−２をねじ込み、プレート枠４１を固定する。最後に、プレート本体４２の嵌合爪をプレート枠側の嵌合孔４１ｂ−１，４１ｂ−２，４１ｂ−３，…に嵌入すれば、このプレート本体４２の前面が端子台８０−２の前面と略同一高さに固定され、取付作業が完了する。
【００５０】
（効果）
【００５１】
本実施形態では、次の（ａ）、（ｂ）のような効果がある。
【００５２】
（ａ）  端子台８０−２を上下１８０°回転させてユニット本体６０−２の前面側に押し付けるだけで、この端子台８０−２の高さを２段階に簡単に変えることができる。このため、プレート４０の厚さが２種類あった場合、従来では、高さの異なる２種類の端子台２０を用意しなければならなかったが、本実施形態では、１種類の端子台８０−２を用意すれば足りる。又、プレート４０の厚さが２種類以上ある場合でも、従来に比べて用意する端子台８０−２の種類を１／２に減らすことができる。従って、経済性が良く、取付の作業効率を向上できる。特に、端子台８０−２を上下１８０°回転させるだけで高さ調整ができるので、特別な調整用治具も必要とせず、使い勝手が良い。
【００５３】
（ｂ）  ユニット本体６０−２側の取付耳部７０−１，７０−２を着脱自在の構造にすると共に、該ユニット本体６０−２に、２種類の取付枠用の係止部６５−１〜６５−４と６６−１〜６６−４を設けたので、種々の形状や構造のプレートやボックス取付枠に対して適用できる。特に、取付耳部７０−１，７０−２の挟持構造は、取り外しが簡単で、機械的な固定強度が大きい。
【００５４】
［他の実施形態］
【００５５】
本発明では、上記の実施形態以外に、種々の変更等が可能である。他の実施形態としては、例えば、次の（ｉ）〜(iii)のようなものがある。
【００５６】
（ｉ）  図１の実施形態では、図２（Ｂ）の２分岐端子型の直列ユニット５０−２において、図２（Ｃ）の支持部５２を適用した例について説明したが、この支持部５２を構成する突起５２ａ及び収容孔５２ｂは、図１の形状や構造以外のものに変えても良く、更に、図２（Ｃ）の他の支持部５１を適用しても良い。この場合、図６の突起５２ａ−１〜５２ａ−６と図１の収容孔５２ｂ−１，５２ｂ−２に代えて、図１の端子台８０−２の背面側あるいはユニット本体６０−２の前面側のいずれか一方に、図２（Ｃ）の段差部５１ａを設けると共に、いずれか他方に図２（Ｃ）の接触部５１ｂを設ければ良い。これにより、図１の実施形態と略同様の作用、効果を奏することができる。
【００５７】
（ii）  図１の実施形態では、図２（Ｂ）の２分岐端子型の直列ユニット５０−２について説明したが、この実施形態は、図２（Ａ）の１分岐型の直列ユニット５０−１や、図２（Ｃ）の３分岐型の直列ユニット５０−３、あるいは４分岐型以上のものにも同様の適用が可能である。
【００５８】
（iii） 図１では、ユニット本体６０−２に一対の入出力端子６４−１，６４−２を設けた場合について説明したが、終端に使用する直列ユニットでは、１つの入出力端子でよいため、入出力端子６４−１，６４−２のうちのいずれか一方を取り除き、盲蓋を形成するようにしても良い。又、使用するプレート４０も、図９の形状や構造のものに限定されず、図示以外の形状や構造のものに適用でき、これに対応して取付耳部７０−１，７０−２等の形状や構造を変えれば良い。
【００５９】
【発明の効果】
【００６０】
以上詳細に説明したように、請求項１の発明によれば、支持部と固定手段を、ユニット本体と端子台との接合箇所に設けたので、端子台を上下１８０°回転させてユニット本体の前面に装着するだけで、この端子台の高さを少なくとも２段階に簡単に変えることができる。このため、従来、高さの異なる２種類用意していた端子台を１つにすることができるので、経済性が良く、取付の作業効率を向上できる。特に、端子台を上下１８０°回転させるだけで高さ調整ができるので、特別な調整用治具も必要とせず、使い勝手が良い。また、段差部と接触部とで支持部を構成したので、支持部の構造が簡単で、かつ大きな支持強度を得ることができ、低製造コスト化も可能になる。しかも、第１及び第２の係合爪と係合部とで固定手段を構成したので、取り外しが容易で、かつ充分な固定強度を得ることができる。
【００６２】
請求項２の発明によれば、支持部と固定手段を、ユニット本体と端子台との接合箇所に設けたので、端子台を上下１８０°回転させてユニット本体の前面に装着するだけで、この端子台の高さを少なくとも２段階に簡単に変えることができる。このため、従来、高さの異なる２種類用意していた端子台を１つにすることができるので、経済性が良く、取付の作業効率を向上できる。特に、端子台を上下１８０°回転させるだけで高さ調整ができるので、特別な調整用治具も必要とせず、使い勝手が良い。また、突起と収容孔とで支持部を構成したので、支持方向に対して直交する方向のずれを防止でき、簡単な構造で大きな支持強度を得ることができる。しかも、第１及び第２の係合爪と係合溝とで固定手段を構成したので、取り外しが容易で、かつ充分な固定強度を得ることができる。
【図面の簡単な説明】
【図１】本発明の実施形態を示す２分岐端子型の直列ユニットの一部を省略した分解斜視図である。
【図２】本発明の実施形態の基本構成を示す模式図であり、（Ａ）は１分岐端子型直列ユニットの正面図、（Ｂ）は２分岐端子型直列ユニットの正面図、（Ｃ）は３分岐端子型直列ユニットの正面図、及び（Ｄ）は端子台の高さ調整方法を示す１分岐端子型直列ユニットの縦断面図である。
【図３】図１中のユニット本体側の正面図である。
【図４】図３中のユニット本体の側面図である。
【図５】図３中の取付耳部の構成図であって、（Ａ）は正面図、及び（Ｂ）は側面図である。
【図６】図１中の端子台の構成図であって、（Ａ）は正面図、（Ｂ）は背面図、（Ｃ）は側面図、及び（Ｄ）は（Ｃ）の縦断面図である。
【図７】図１の直列ユニットの取付時の側面図である。
【図８】図７の端子台の高さ調整方法を示す説明図である。
【図９】従来の２分岐端子型の直列ユニットの取付例を示す分解斜視図である。
【図１０】図９の縦断面図である。
【符号の説明】
１，５０−１，５０−２，５０−３    直列ユニット
１０，６０−１，６０−２    ユニット本体
１１−１，１１−２，６３−１，６３−２    分岐端子
１１−３，６４−１，６４−２    入出力端子
１２−１，１２−２，７０−１，７０−２    取付耳部
２０，８０−１，８０−２，８０−３    端子台
３０    アウトレットボックス
３３−１，３３−２    同軸ケーブル
４０    プレート
５１，５２    支持部
５１ａ    段差部
５１ｂ    接触部
５２ａ，５２ａ−１〜５２ａ−６    突起
５２ｂ，５２ｂ−１，５２ｂ−２    収容孔
５３    固定手段
６８−１，６８−２    端子台係合部
８１，８１−１，８１−２，８１−３０  端子孔
８２−１〜８２−４    係合爪
【図１】
0003987742.tif 000002
【図２】
0003987742.tif 000003
【図３】
0003987742.tif 000004
【図４】
0003987742.tif 000005
【図５】
0003987742.tif 000006
【図６】
0003987742.tif 000007
【図７】
0003987742.tif 000008
【図８】
0003987742.tif 000009
【図９】
0003987742.tif 000010
【図１０】
0003987742.tif 000011